(57)【特許請求の範囲】
【請求項１】
マンションや学校等、受水槽を必要とする集合建築物等に設置された受水槽において、その受水槽を修理する期間、給水栓への給水が中断しないように、仮設受水槽を設置し、この仮設受水槽と既設の給水管及び加圧ポンプ又は高架水槽への揚水ポンプとを配管によりつなぎ、受水槽修理期間、給水栓へ給水する仮設受水槽について、ステンレス製の所定寸法の天板、底板、側板の各パネルをつなぎ合せ直方体とし、給水管及び加圧ポンプ又は高架水槽への揚水ポンプとの配管用の開口部、通気管、マンホールとを設け、仮設受水槽内面の相対する側板どうしを補強ブレスで底板に対し水平に連結し、仮設受水槽内の水位が、常に加圧ポンプあるいは高架水槽への揚水ポンプより高く維持するため、地面の凹凸を吸収するための機能を備え、2人で組立できる架台の上に固定した仮設受水槽。
【請求項２】
仮設受水槽内の水位が常に一定の高さに維持できる水位維持装置を設けた請求項１の仮設受水槽。
【請求項３】
請求項１又は請求項２のいずれかの仮設受水槽と既設の給水管及び加圧ポンプ又は揚水ポンプとを配管によりつなぎ、請求項１又は請求項２のいずれかの仮設受水槽内の清掃・消毒作業後、受水槽と給水管及び加圧ポンプ又は揚水ポンプとの連結を遮断し、請求項１又は請求項２のいずれかの仮設受水槽に上水を満たし、請求項１又は請求項２のいずれかの仮設受水槽から給水栓へ給水を開始した後、受水槽の修理を開始し、受水槽の修理が完了した後、受水槽と既設の給水管及び加圧ポンプ又は揚水ポンプとをつなぎ、受水槽の使用を復旧させるまでの請求項１又は請求項２のいずれかの仮設受水槽を利用する作業方法。
【請求項４】
請求項１又は請求項２のいずれかの仮設受水槽を緊急時の貯水槽として使用する方法。
【発明の詳細な説明】
【技術分野】
【０００１】
本発明は、受水槽を修理する期間、受水槽の代わりに使用する仮設受水槽に関する。
【背景技術】
【０００２】
本願発明者は、給排水設備、公害処理設備等の設計・施工、更にそれらの修理・点検等を業とする会社を長年運営してきている。その間、地方公共団体等の上下水道やプールの修理も数多く行なってきた。その経験の中で、本願の課題である受水槽を修理するときの仮設受水槽を思いついた。
【０００３】
受水槽とは、ビル・マンション・学校・病院などや一時に多量の水を使用する建物などで、水道局から水道管を通って送られてきた水を、いったん貯めておく容器（タンク）のことである。マンションや学校等の集合建築物では、使用人数が多いため、給水栓での安定した水圧を維持でない場合がある。そこで、水道水(上水)を受水槽に受け、揚水ポンプで高架水槽へ揚水した水を、又は、貯水槽に連結した加圧ポンプにより加圧された水を、共用給水管を通し、各給水栓へ給水している。この受水槽は、水道法等の規定により、所定の大きさを超える場合には、定期検査や清掃の実施等が義務づけられ、また受水槽の構造等も規定されている。
【０００４】
受水槽は、コンクリート（RC）、金属（ステンレスもしくは鋼製）、樹脂（FRP等）で製作され、施錠付きのマンホール、定水位弁、オーバーフロー管、通気口、水抜き管等から構成されている。受水槽も経年変化により、水漏れ、ワレ、塗膜剥離等が生ずる。新しく受水槽を作るには、有効容量が１０ｍ&sup3;を越えるものでは、製作費が約２０００万円以上掛かるとされている。その経費を節減するため、受水槽は、新たに製作するのではなく、修理することを余儀なくされている。受水槽の修理では、新たに受水槽を製作する場合と比較し、約１／５〜１／６の経費で済むためである。しかし、修理は、受水槽の中に人が入り、水漏れやワレ・歪等の補強、張替、パテ塗り、塗装等の作業をしなければならず、その修理の間は受水槽が使用できず、マンションや学校等の集合建築物での給水栓は、給水を受けることができず、その活動が停止せざるを得なくなる。そこで、受水槽を修理する間、仮設の受水槽を設け、ここより各給水栓への給水を行なう必要が生じる。仮設の受水槽では、組み立て、解体・撤去が容易で短時間ででき、既設の揚水ポンプや加圧ポンプを利用することが必要である。こうした仮の受水槽に関する先行技術文献を調査したが、直接関連する先行技術文献は見当たらなかった。しかし、何らかの関係があると思われる先行技術文献としては、以下のようなものが見受けられた。
【０００５】
組立式筺体の底壁又は天井を構成する方形の水平部と、当該水平部に対して、その三辺に同一側に直角にのびる立上部が形成され、これら各立上部に前記の水平部と平行に外方にのびる第１フランジが形成され、更に他の一辺とこの辺に対向する第１フランジには、前記立上部に平行でこれと逆側にのびる第２フランジが形成されたことを特徴とする汚水処理装置、浄水処理装置、水道水の受水槽等用の組立式筺体のパネル体(特許文献１)、受水槽内の水を揚水ポンプが送水管を介して高架水槽へ送り込み、該高架水槽内の水を給水管を介して各戸へ供給するようにした給水装置において、前記高架水槽の使用不能時に、前記揚水ポンプの吐出側から前記受水槽へと至る放出管と、該放出管の途中に配置させた放出弁と、前記送水管および前記給水管を前記高架水槽に近い高さで連通せしめるバイパス管と、該バイパス管の途中に配置させた減圧弁とを付設したことを特徴とする給水装置の臨時給水構造(特許文献２)、受水槽の流入口と流出口の通水管路にそれぞれ緊急遮断弁を配設し、停電時に自動閉となるこれら緊急遮断弁を通電時開に保持する電源回路中に、所定震度以上の地震を感知したときにこの電源回路を遮断する感震器を介設する、災害時の避難所とされる学校、公共施設等に備えられて水道水を一時貯めておくための受水槽内の飲料水を、地震などの際に確保するための受水槽用緊急遮断方式(特許文献３)、受水槽から揚水ポンプで高架水槽に揚水した水を、または圧力ポンプによって加圧された水を、集合住宅の各住戸に供給可能に付設されている共用給水管を更新する共用給水管の更新方法であり、既存の共用給水管（以下「旧管」という）の使用継続中に更新するための共用給水管（以下「新管」という）に並設し、上記新管に新しく設置された圧力ポンプを接続し、上記旧管を残したまま上記新管による給水に切り替えることを特徴とする共用給水管の更新方法(特許文献４)等がある。
【先行技術文献】
【特許文献】
【０００６】
【特許文献１】特開平６-２８６７８９号公報
【特許文献２】特開平６−１５８６８９号公報
【特許文献３】特開平９−５３７３８号公報
【特許文献４】特開平１１−１０７３３５号公報
【０００７】
ここで、特許文献１は、汚水処理装置、浄水処理装置、水道水の受水槽等用の組立式筺体のパネル体の発明であり、特許文献２は、高架水槽の使用不能時の給水装置の臨時給水構造である。また、特許文献３は、災害時の避難所とされる学校、公共施設等に備えられて水道水を一時貯めておくための受水槽内の飲料水を、地震などの際に確保するための受水槽用緊急遮断方式であり、特許文献４は、集合住宅の各住戸に供給可能に付設されている共用給水管を更新する共用給水管の更新方法である。
上記特許文献は、受水槽用の組立式筺体あるいは緊急時の公共施設等の飲料水を確保・使用に関する発明であるが、本願発明者が解決しようとする課題とは異なっている。
【発明の概要】
【発明が解決しようとする課題】
【０００８】
本願が解決しようとする課題は、受水槽が長期間の使用によりに水漏れ等のトラブルが生じた場合、受水槽を新たに製作することなく、受水槽を修理し、その修理期間もマンションや学校等の集合建築物での活動を維持するため、仮設の受水槽を設け、給水栓への給水を中断することがないようにすることである。
【課題を解決するための手段】
【０００９】
すなわち、第１発明は、マンションや学校等、受水槽を必要とする集合建築物等に設置された受水槽において、その受水槽を修理する期間、給水栓への給水が中断しないように、仮設受水槽を設置し、この仮設受水槽と既設の給水管及び加圧ポンプ又は高架水槽への揚水ポンプとを配管によりつなぎ、受水槽修理期間、仮設受水槽から給水栓へ給水する方法である。
【００１０】
重複するが、受水槽とは、ビル・マンション・学校・病院などや一時に多量の水を使用する建物などで、水道局から水道管を通って送られてきた水を、一時期貯めておく容器（タンク）のことである。図１に、受水槽の概略図を示す。浄水場から送られる上水は、水道本管９さらに給水管９１を通り受水槽２に貯められ、更に受水槽２から  揚水ポンプ４から高架水槽３に又は加圧ポンプ５から、共用給水管６を通り給水栓７に送られる。上水とは、飲料などとして、浄水場等から供給される飲料水として使用されるきれいな水をいう。
図２に、受水槽２の概略図を示す。受水槽２は、マンホール２１、  オーバーフロー管２２、水抜管２４  、通気管２５が設けられ、受水槽内の水位２６は、定水位弁２３の主弁２３１と副弁２３２、及びオーバーフロー管２２により、一定の高さに維持されている。定水位弁２３とは、受水槽(貯水槽)の水位を一定に維持するためのバルブであり、主弁２３１と副弁(ボールタップや電極)２３２により構成され、主弁２３１は、受水槽の外部に、副弁２３２は、内部に設けられる。尚、マンホール２１は、法令により施錠付である(以下同じ)。
【００１１】
図３は、仮設受水槽１設置時の平面概略図である。図３の(Ａ)は、受水槽を使用しているときの概略図であり、(Ｂ)は、仮設受水槽１を使用しているときの概略図である。受水槽２には、既設の給水管９１及び加圧ポンプ又は高架水槽３への揚水ポンプ４(以下、高架水槽への揚水ポンプを、揚水ポンプとする。)とが連結されている。この既設の給水管９１及び加圧ポンプ５又は揚水ポンプ４へと配管できる場所に仮設受水槽１を設置する。そして、仮設受水槽１と既設の給水管９１及び加圧ポンプ５又は揚水ポンプ４とを連結する配管１１工事を行う。仮設受水槽１内の清掃、消毒等所定の作業が終了した後、受水槽２への給水及び受水槽から加圧ポンプ５又は揚水ポンプ４(図３では、４ or ５と示す。)への送水を遮断する。仮設受水槽内に上水を給水し、仮設受水槽１から加圧ポンプ５又は揚水ポンプ４により、共用給水管６を通り給水栓７に上水が給水される。受水槽の修理(受水槽内の洗浄・消毒等を含む。)が終了後、仮設受水槽と仮設受水槽と既設の給水管９１及び加圧ポンプ５又は揚水ポンプ４の配管１１を外し、修理後の受水槽と既設の給水管９１及び加圧ポンプ５又は揚水ポンプ４とを連結し元の状態に復帰させる。仮設受水槽を撤去し、受水槽の修理工事を完了させる。尚、図３には開閉バルブ１２が記載されているが、これに限るものではなく、開閉バルブ１２の有無は関係なく、上水を遮断する方法であれば足りる。
【００１２】
仮設受水槽１は、架台８上に設置することが望まれる。設置場所の地面の凸凹を、架台８の脚で調節し、また、後述するが、架台８を用いて仮設受水槽１内の水位を加圧ポンプ５又は揚水ポンプ４より高くしておくためである。
【００１３】
続いて、第２発明は、ステンレス製の所定寸法の天板、底板、側板の各パネルをつなぎ合せ直方体とし、給水管及び加圧ポンプ又は高架水槽への揚水ポンプとの配管用の開口部、通気管、マンホールとを設けた第１発明の仮設受水槽である。
【００１４】
仮設受水槽は、立体的な容器(タンク)の状態で搬送することは困難であり、仮設受水槽を組み立てる部品等を現地に搬送する。そして、仮設受水槽は、組み立て、解体・撤去作業が、容易で、かつ、短時間で終了する必要がある。一方、仮設受水槽は、使い捨てではなく、限度はあるが、何回も使用できることが望まれる。また、内部の洗浄・消毒がし易く、衛生的であることが必要である。そこで、ステンレス製の所定寸法の天板、底板、側板の各パネルを用意し、現地にてこれらをつなぎ合わせ、直方体の容器とすることとした。各パネルを予め準備し、現地で組み立てる方法は、運搬も容易であるし、現地での組み立ても、２人ですることができる。また、仮設受水槽ではあるが、受水槽の修理期間中は、受水槽と同じ機能を果たすため、水道法等の規定に従い、給水管及び加圧ポンプあるいは揚水ポンプとの連結配管用の開口部と通気管、マンホールとを設けている。
【００１５】
図４、５、６は、仮設受水槽１の正面概略図、平面概略図、側面概略図である。ステンレス製の所定寸法の天板１０１、底板１０２、側板１０の各パネルをつなぎ合せ、直方体としている。各パネルは、ボルトとナットによりつなぎ合せ、更に、底板１０２、側板１０は、ボルトとナットにより架台にもつなぎ合せている。なお、各パネルをつなぐ方法は任意である。パネルとパネルのつなぎ目は、コーキング剤により水漏れを防いでいるが、これに限るものではない。
【００１６】
続いて、第３発明は、仮設受水槽内面の相対する側板どうしを補強ブレスで底板に対し水平に連結した第２発明の仮設受水槽である。
【００１７】
仮設受水槽内の側板内面にかかる水圧に耐えるため、仮設受水槽内面の相対する側板どうしを、補強ブレスで底板に対し水平につなげている。図５の仮設受水槽１の平面図において、側面の高さの略中央に、短辺に平行に３本、長辺に平行に１本、補強ブレス１０３がつながれている。
【００１８】
続いて、第４発明は、仮設受水槽内の水位が常に一定の高さに維持できる水位維持装置を設けた第２発明又は第３発明のいずれかの仮設受水槽である。
【００１９】
仮設受水槽１内の水位が既設の加圧ポンプ５あるいは揚水ポンプ４より低くなると、加圧ポンプ５あるいは揚水ポンプ４は、前述のように空気が巻き込まれ、これらのポンプが動かなくなる恐れがある。そこで、仮設受水槽１内の水位をこれらのポンプより高い位置に常に維持しておくため、水位維持装置を設けるものである。水位維持装置としては、図２にあるような定水位弁２３が代表的なものであるが、これに限るものではない。
【００２０】
続いて、第５発明は、仮設受水槽内の水位が、常に加圧ポンプあるいは高架水槽への揚水ポンプより高く維持するため、架台上に固定した、第２発明、第３発明又は第４発明のいずれかの仮設受水槽である。
【００２１】
第４発明と同じように、仮設受水槽内の水位が、常に加圧ポンプあるいは高架水槽への揚水ポンプより高く維持するため、仮設受水槽を架台上に固定するものである。また、架台は、仮設受水槽を設置する地面の凹凸を吸収するための機能も備えている。
【００２２】
続いて、第６発明は、架台上に仮設受水槽を固定し、仮設受水槽と既設の給水管及び加圧ポンプ又は揚水ポンプとを配管によりつなぎ、仮設受水槽内の清掃・消毒作業後、受水槽と給水管及び加圧ポンプ又は高架水槽への揚水ポンプとの連結を遮断し、仮設受水槽に上水を給水し、仮設受水槽から給水栓へ給水を開始した後、受水槽の修理を開始し、受水槽の修理が完了した後、受水槽と既設の給水管及び加圧ポンプ又は揚水ポンプとをつなぎ、受水槽の使用を復旧させるまでの、仮設受水槽を利用する作業手順である。
【００２３】
仮設受水槽は、短時間に組立し、受水槽に代わる機能を果たし、受水槽の修理が完了すれば、短時間に解体・撤去することが必要である。仮設受水槽の利用は、組立から撤去まで円滑に作業して、初めて可能となるものである。仮設受水槽を利用する作業手順としたのは、仮設受水槽を設置し、受水槽を修理する期間、仮設受水槽から給水栓へ給水し、受水槽の修理が完了した後、仮設受水槽を解体・撤去するまでを仮設受水槽を利用するとしたためである。なお、受水槽の修理とは、水漏れやワレ部分の補強、張替、パテ塗り、塗装等の作業だけでなく、受水槽内の清掃・消毒等法令にかなった一連の作業をいうものである。
【００２４】
続いて、第７発明は、第２発明から第５発明までのいずれかの仮設受水槽を緊急時の貯水槽として使用する方法である。
【００２５】
仮設受水槽は、貯水槽としての機能を持つものである。緊急時、例えば、地震等により上水の給水が停止された場合には、仮設受水槽に災害用の給水自動車から配給される飲料水を入れ、貯水槽として使用すれば、多くの被災者が利用することができる。
【発明の効果】
【００２６】
第１発明においては、仮設受水槽を利用することにより、受水槽の修理期間でも給水栓への給水を止めることなく、集合建築物での活動が継続でき、また受水槽を更新する場合と比較し、大幅なコスト低減となる。第２発明では、組立、解体・撤去が短時間に容易にできる仮設受水槽を提供できる。第３発明は、水圧に耐える仮設受水槽を作るためであり、第４発明及び第５発明は、加圧ポンプ又は揚水ポンプに空気が巻き込まれ、その動きが止められないようにするためである。第６発明は、仮設受水槽を有効利用するための手段を保護するためである。また、第７発明は仮設受水槽を緊急時には貯水槽として使用し被災者が利用するためである。
【図面の簡単な説明】
【００２７】
【図１】図１は、受水槽を利用する集合住宅の概略図である。
【図２】図２は、受水槽の概略図である。
【図３】図３は、仮設受水槽設置時の平面概略図である。
【図４】図４は、仮設受水槽の正面概略図である。
【図５】図５は、仮設受水槽の平面概略図である。
【図６】図６は、仮設受水槽の側面概略図である。
【図７】図７は、既存の受水槽と仮設受水槽設置の場所の図である。
【図８】図８は、架台を組み立てている図である。
【図９】図９は、仮設受水槽を架台上に組み立てている図である。
【図１０】図１０は、架台上に仮設受水槽が組み立てられた図である。
【図１１】図１１は、仮設受水槽内の清掃と消毒をしている図である。
【図１２】図１２は、給水管を仮設受水槽に連結し、仮設受水槽から加圧ポンプ又は揚水ポンプへ配管した図である。
【図１３】図１３は、受水槽への給水管と加圧ポンプ又は揚水ポンプへ連結した復旧工事の図である。
【図１４】図１４は、仮設受水槽の解体・撤去工事の図である。
【図１５】図１５は、受水槽の修理前と修理後の図である。
【発明を実施するための形態】
【００２８】
以下に本発明の代表的な実施例を示す。尚、図７以降は、固有名詞や人が写っている個所は、加工又は削除している。
【００２９】
図７は、既存の受水槽２と仮設受水槽１設置の場所１９の図である。仮設受水槽１は、既設の給水管及び加圧ポンプ又は揚水ポンプを配管によりつなぐため、受水槽２の近くに設置することが好ましい。本工事では、受水槽２の近くに仮設受水槽１を設置する適当な場所があった。
【００３０】
図８は、架台８の組立図である。架台も各構成部品として仮設受水槽を設置する場所に搬入し、そこで組み立てる。各構成部品とすることは、運搬しやすいだけではなく、作業者は、この架台を２名で組立できる利点がある。架台の組立の順序は、図８の(Ａ)、(Ｂ)の順に行なわれる。
【００３１】
図９は、仮設受水槽１を架台８上に組み立てている図である。図９(Ａ)から(Ｂ)の順序で組み立てられる。この作業も２人で行われている。図１０は、架台８上に仮設受水槽１が組み立てられた図である。
【００３２】
図１１は、仮設受水槽１内の清掃と消毒をしている図である。規定に従った作業であり、作業者も所定の装備で作業をしている。仮設受水槽用１内の側板には、補強ブレス１３だけでなく、補強のため仮設受水槽用補強枠１０４が付けられている。
【００３３】
図１２は、給水管９１を仮設受水槽１に連結し、仮設受水槽１から加圧ポンプ５又は揚水ポンプ４へ配管した図である。図１２(Ａ)は、給水管９１を仮設受水槽１に連結した図であり、(Ｂ)は受水槽から加圧ポンプ又は揚水ポンプへの配管を遮断し、仮設受水槽１から加圧ポンプ又は揚水ポンプへ配管した図である。尚、図１２では、仮設受水槽１と加圧ポンプ５又は揚水ポンプ４が図示されていないため、枠付きの文字で示している。また、図１２の矢印（⇒）は、仮設受水槽から加圧ポンプ５又は揚水ポンプ４への上水の流れを示す。
【００３４】
図１３は、受水槽２への給水管９１と加圧ポンプ５又は揚水ポンプ４への連結の復旧工事の図である。図１３(Ａ)は、受水槽２の修理が完了した後、給水管９１を受水槽に連結した図であり、(Ｂ)は、受水槽２から加圧ポンプ５又は揚水ポンプ４に連結した図である。
【００３５】
図１４は、仮設受水槽１の解体・撤去工事の図である。図１４(Ａ)は、仮設受水槽１を２人の作業者が解体している図であり、仮設受水槽用側板パネル１０、仮設受水槽底板１０２に解体している。(Ｂ)は、仮設受水槽１及び架台８をすべて撤去した後の図である。
【００３６】
図１５は、受水槽２の修理前(Ａ)と修理後(Ｂ)の図である。受水槽２の外壁をパテ塗り等した後、塗装し、修理した受水槽は、新たに製作したかのように見える。
【産業上の利用可能性】
【００３７】
受水槽を更新する場合の費用と仮設受水槽を利用し受水槽を修理する場合を比較すると、後者は前者の約1／６から１／５の費用となる。更に仮設受水槽の設置及び仮設受水槽と既設の給水管及び加圧ポンプあるいは高架水槽への揚水ポンプとを配管によりつなぐことは、容易でありまた短時間で可能である。こうした仮設受水槽を利用する利点を思量すると、仮設受水槽及びその利用方法の需要は大いに期待される。
【符号の説明】
【００３８】
１  仮設受水槽  １１（仮設受水槽用）配管  １２  開閉バルブ  
１３ 補強ブレス  １４ (仮設受水槽用)マンホール  
１５(仮設受水槽用)通気管  １６(仮設受水槽用)給水管開口部
１７(仮設受水槽用) 加圧ポンプ又は揚水ポンプとの配管用の開口部
１８(仮設受水槽用)オーバーフロー管用開口部
１９  仮設受水槽設置場所
２  受水槽  ２１  マンホール  ２２  オーバーフロー管  
２３ 定水位弁  ２３１(定水位弁の)主弁  ２３２(定水位弁の)副弁  ２４  水抜管  ２５  通気管  ２６  水位
３  高架水槽
４  揚水ポンプ
５  加圧ポンプ
６  共用給水管
７  給水栓
８  架台
９  水道本管  ９１給水管
１０ 仮設受水槽用側板パネル  １０１ 仮設受水槽用天板  
１０２ 仮設受水槽底板  １０３ 仮設受水槽用補強枠
【要約】
【課題】受水槽の修理が必要になったとき、受水槽を新しく製作することなく、受水槽を修理し、その修理期間、マンションや学校等の集合建築物での活動を維持するため、仮設の受水槽を設け、給水栓への給水を中断することがないようにすることである。
【解決手段】受水槽を修理する期間、給水栓への給水を中断することがないように、仮設受水槽を架台上に設置し、この仮設受水槽と既設の給水管及び加圧ポンプあるいは高架水槽への揚水ポンプとを配管によりつなぎ、受水槽修理期間での仮設受水槽による給水栓への給水方法である。
【選択図】図３【図１】
0005665244.tif 000002
【図２】
0005665244.tif 000003
【図３】
0005665244.tif 000004
【図４】
0005665244.tif 000005
【図５】
0005665244.tif 000006
【図６】
0005665244.tif 000007
【図７】
0005665244.tif 000008
【図８】
0005665244.tif 000009
【図９】
0005665244.tif 000010
【図１０】
0005665244.tif 000011
【図１１】
0005665244.tif 000012
【図１２】
0005665244.tif 000013
【図１３】
0005665244.tif 000014
【図１４】
0005665244.tif 000015
【図１５】
0005665244.tif 000016